(57)【要約】  【課題】  通帳と帳票を取り扱う装置において、処理時間を短縮するとともに、搬送性能の向上を図るができ、比較的安価で高機能の小型の装置を提供すること。【解決手段】  通帳挿入口と帳票挿入口を備え、通帳の処理に必要な、磁気処理部、通帳の光学読取部、印字部、頁替部、を具備した主搬送路の通帳挿入口と印字部の間で合流する帳票回収部への分岐と画像読取部を具備した帳票搬送路を備える。【選択図】  図１
2005301711.tif 000002
【特許請求の範囲】
【請求項１】
帳票挿入口と、
通帳挿入口と、
前記帳票挿入口から挿入された帳票を搬送する帳票搬送路と、
前記通帳挿入口から挿入された通帳を搬送し通帳の処理に必要な複数の処理部を具備する主搬送路と、
帳票を回収する帳票回収部と、
帳票に記載された所定の情報を読取る、前記帳票搬送路に配置された帳票読取部とからなる通帳および帳票類処理装置であって、
前記帳票搬送路は前記帳票回収部への分岐路を具備し、主搬送路へ合流することを特徴とする通帳および帳票処理装置。
【請求項２】
請求項１記載の通帳および帳票処理装置であって、
前記帳票搬送路が、前記通帳挿入口と前記主搬送路に具備されている印字部の間で合流することを特徴とする通帳および帳票処理装置。  
【請求項３】
請求項１記載の通帳および帳票処理装置であって、
前記帳票読取部は、挿入された帳票の読取開始時に帳票を装置内に完全に取り込める位置で、かつ、帳票読取処理終了時に読み取った帳票が主搬送路に侵入しない位置に配置することを特徴とする通帳および帳票処理装置。
【請求項４】
請求項１記載の通帳および帳票処理装置であって、
前記主搬送路の最後部に接続し上方向に搬送する後部通帳搬送路と、
該搬送路と接続し、装置上後方に通帳発行部を具備することを特徴とする通帳および帳票処理装置。
【請求項５】
請求項１記載の通帳および帳票処理装置であって、
前記帳票回収部への分岐路を、前記帳票搬送路上にあって前記帳票挿入口と帳票読取部の間に具備することを特徴とする通帳および帳票処理装置。
【請求項６】
請求項４記載の通帳および帳票処理装置であって、
通帳を回収する通帳回収部を複数具備することを特徴とする通帳および帳票処理装置。
【請求項７】
請求項６記載の通帳および帳票処理装置であって、
通帳の取引形態種別に基いて回収する通帳の回収部を選択することを特徴とする通帳および帳票処理装置。
【請求項８】
請求項６記載の通帳および帳票処理装置であって、通帳の形状種別に基いて回収する通帳の回収部を選択することを特徴とする通帳および帳票処理装置。
【請求項９】
請求項８記載の通帳および帳票処理装置であって、
前記複数の通帳回収部のうち少なくとも1つは主搬送路上もしくは主搬送路近傍に具備し、他の少なくとも1つは前記後部通帳搬送路から分岐して具備することを特徴とする通帳および帳票処理装置。
【発明の詳細な説明】
【技術分野】
【０００１】
本発明は、銀行等の金融機関において用いられる自動取引装置に搭載される通帳・帳票処理装置に関するものである。
【背景技術】
【０００２】
本発明に関する従来技術としては、例えば、特開平２００３−９１７６５号公報（特許文献１）に記載されたものがある。該公報には、帳票処理装置として、通帳と帳票の挿入口を共通化して単一の挿入口とし、通帳と帳票に対する処理機能を1つの搬送路上に備えることで、通帳と帳票を処理する機能を1ユニット化している。
【０００３】
また、該公報には、帳票処理装置として、通帳と帳票の挿入口を共通化して単一の挿入口とし、挿入口に接続する搬送路を通帳用と帳票用に分岐し、通帳用と帳票用の処理のために各搬送路に印字部と読取部を具備した構成としている技術もある。  
【特許文献１】特開２００３−９１７６５号公報（図２、段落（００１７）〜（００１８）参照）
【発明の開示】
【発明が解決しようとする課題】
【０００４】
金融機関等で使用される自動取引装置においては、設置場所の省スペース化、保守エリアの確保等により装置の小型化が求められている。上記の従来の技術では、１人の顧客の取引において通帳と帳票の両方を処理する場合、通帳の処理を行うために帳票を一旦後方へ退避させてから通帳を吸入させる必要がある。さらに、通帳の処理が終了して通帳排出後、帳票への印字、帳票の印字結果の読取、帳票の回収といった一連の処理を行う場合、帳票の搬送方向が一方向でなく搬送路を往復する必要があり、その結果処理時間が長くなってしまう。
【０００５】
また、全ての処理機能を1つの搬送路上に備えていること、また、帳票の読取においては帳票の上端から下端までを搬送して読取る必要があるため、搬送路を長く構成する必要があり、装置の小型化が図りにくい。
【０００６】
他方、挿入口が一つで搬送路を通帳用と帳票用に分岐し、各搬送路に印字部及び読取部を具備する構成の従来の技術においては、上記課題は解決されるが、当然装置が高価になってしまう。
【０００７】
本発明の課題点は、上記従来の状況に鑑み、通帳や帳票を処理する帳票処理装置において、（１）例えば１人の顧客が通帳処理と帳票処理とを行う場合にも短時間に処理できること、（２）装置の小型も可能であること、（３）通帳・帳票の搬送性能においても向上が図れること（４）装置を安価にできること、（５）運用面においても向上が図れること、等である。
【課題を解決するための手段】
【０００８】
上記課題点を解決するために、本発明では、基本的に１ユニット化した通帳・帳票処理装置において、通帳挿入口と帳票挿入口を備え、帳票挿入口から挿入された帳票を搬送する帳票搬送路には帳票回収部への分岐と帳票読取部を備え、該帳票搬送路は通帳挿入口に挿入された通帳を搬送する主搬送路に通帳挿入口と印字部の間で合流する。
【０００９】
主搬送路には、通帳の処理に必要な、磁気処理部、通帳の光学読取部、印字部、頁替部を備えるとともに、該主搬送路には通帳を一時退避することのできる退避路と分岐を備える。また、該主搬送路の最後部から上方向へ通帳を搬送する後部通帳搬送路を備え、該後部通帳搬送路には通帳発行部が接続できる構成とする。
【発明の効果】
【００１０】
本発明の通帳・帳票処理装置によれば、通帳処理と帳票処理を短時間に行え、装置の小型化を図ることができ安価な装置を提供することができる。さらに、搬送性能の向上が図れるとともに、機能向上を図ることができる。
【発明を実施するための最良の形態】
【００１１】
以下本発明の実施例につき、図面を用いて説明する。
【実施例１】
【００１２】
図１〜図３は本発明の実施例の説明図である。図１は本発明の通帳・帳票処理装置の構成例を示す図、図２は本発明の通帳・帳票処理装置における処理手順例を示す図、図３は通帳の形状を示す図である。
【００１３】
図１において、６０は通帳・帳票処理装置、１は通帳類、２は帳票類、３は通帳挿入口、４は帳票挿入口、５は通帳挿入口３に接続する主搬送路、６は帳票挿入口に接続し主搬送路５に合流する帳票搬送路、７は帳票搬送路６から分岐する帳票回収搬送路、８は主搬送路５に接続される後部通帳搬送路、９は後部通帳搬送路８から分岐する通帳回収搬送路、１０は主搬送路５から分岐する通帳退避路である。
【００１４】
１１は通帳類１と帳票類２に印字を行う印字部、１２は通帳類１の頁情報等の情報を光学的に読取を行う光学読取部、１３は通帳類１の磁気データ情報の磁気読取・磁気記録を行う磁気処理部、１４は通帳類１の頁めくり等を行う頁替部、１５は帳票類２を回収する帳票回収部、１６は帳票類２のサイズ、フォーマット、記録データを画像認識する帳票読取部、１７は通帳類１を回収する第１の通帳回収部、１８は通帳類１を回収する第２の通帳回収部、１９は新規に通帳を発行する通帳発行部である。
【００１５】
２０は帳票搬送路６から帳票回収搬送路７へ分岐する位置に設けられた第１のゲート手段、２１は帳票搬送路６と主搬送路５が合流する位置に設けられた第２のゲート手段、２２は主搬送路から第１の通帳回収部１７へ回収する通帳類１を案内する第３のゲート手段、２３は主搬送路５から通帳退避路１０へ分岐する位置に設けられた第４のゲート手段、２４は後部通帳搬送路８から通帳回収搬送路９へ分岐する位置に設けられた第５のゲート手段である。
【００１６】
２５〜４２は通帳類１、帳票類２をはさんで回転により搬送する搬送ローラ、４３〜４５は駆動モータであり、駆動モータ４３は搬送ローラ２５〜３１および３３を回転駆動し、駆動モータ４４は搬送ローラ３４〜３９を回転駆動し、駆動モータ４５は搬送ローラ３２および４０〜４２を回転駆動する。搬送ローラ３３は図示しないクラッチ機構等を介し駆動モータ４３の駆動を伝達される。
【００１７】
印字部１１、光学読取部１２、磁気処理部１３、頁替部１４は主搬送路５に設けられ、帳票読取部１６は帳票搬送路６に設けられる。駆動モータ４３〜４５の駆動力は、図示しないベルトやギヤ等の伝達手段を介して各搬送ローラに伝達される。また、駆動モータ４４、４５の代わりに駆動モータ４３の駆動伝達を行うクラッチ機構等（図示しない）を備えてもよい。
【００１８】
また、第１〜第５のゲート手段２０〜２４はそれぞれ、図示しないソレノイド、モータ等のアクチュエータを利用したリンク機構・カム機構等の伝達手段により、それぞれ矢印４６〜５０の方向に移動変位し、搬送路の接続を選択的に切替える。
【００１９】
第１〜第５のゲート手段２０〜２４の初期状態は本実施例の図１に示す実線の状態である。また、５１、５２はそれぞれ通帳類１、帳票類２の幅寸法等に基づき判別する検知センサ等の判別手段である。
【００２０】
上記構成において、動作は以下のようになる。
通帳類１のみ処理を行う場合、まず、エンドユーザにより、通帳類１が通帳挿入口３から挿入されると、判別手段５１により挿入された通帳類１が検知される。判別手段５１は通帳挿入口３にあってもよい。判別手段５１からは該判別結果信号が出力され、概信号に基づき駆動モータ４３を駆動し、搬送ローラ２５〜３１を回転駆動し挿入された通帳類１を吸入する。
【００２１】
通帳類1は主搬送路５を順次搬送され、磁気処理部１３により磁気データ情報の磁気記録の読取／書込が行われ、光学読取部１２では頁情報等の情報の光学的読取が行われ、印字部１１では所定の情報内容が印字される。所定の処理が行われた通帳類１は、駆動モータ４３の逆転駆動により搬送ローラ２５〜３１が逆回転駆動され、主搬送路上５を復路搬送され、通帳挿入口３から排出されエンドユーザに返却される。
【００２２】
上記処理において、光学読取部１２で読取った頁情報が印字処理を行う頁と異なる時、所定の印字が印字中の頁で終了しない時等は、通帳類１を頁替部１４へ搬送し頁めくり処理を行い処理する頁を開き継続して所定の処理を行う。
【００２３】
一方、所定の印字が挿入された通帳類１で終了しない時は、本実施例においては以下の動作となる。
エンドユーザにより挿入された通帳類１で所定の印字が終了しない時、すなわち、印字することのできる頁が無くなった時は、通帳類１を第４のゲート手段２３の動作に支障のない位置まで通帳挿入口３側へ搬送し、第４のゲート手段２３を初期状態の実線位置から点線位置へ移動変位させ通帳退避路１０を接続し、通帳類１を通帳退避路１０へ搬送する。
【００２４】
通帳類１はゲート手段２３の動作に支障のない位置まで通帳退避路１０内を搬送され、ゲート手段２３を点線位置から実線位置へ移動変位する。続いて、通帳発行部１９から新通帳５３を繰り出し、繰り出された新通帳５３は、駆動モータ４３及び４５の駆動により搬送ローラ２５〜３２および４０〜４２が回転駆動し主搬送路５へ搬送される。
【００２５】
この時、通帳退避路１０へ搬送された通帳類１は図示しないクラッチ機構等により搬送ローラ３３へ駆動モータ４３の駆動が伝達されていないため移動することはない。主搬送路５へ搬送された新通帳５３は、印字部１１、光学読取部１２、磁気処理部１３、頁替部１４により新規通帳発行に必要な所定の処理、及び、通帳類１への印字処理において印字できなかった残りの印字を行う。
【００２６】
全ての処理が終わった新通帳５３は駆動モータ４３により回転駆動される搬送ローラ２５〜３１により通帳挿入口３から排出される。続いて、ゲート手段２３を実線位置から点線位置へ移動変位し、駆動モータ４３の駆動を搬送ローラ３３へ伝達し、搬送ローラ２５〜２９及び３３により、通帳退避路１０へ搬送された通帳類１は通帳挿入口３より排出されエンドユーザへ返却される。その後、全てのゲート手段を初期状態に戻す。
【００２７】
上記動作に対し、先にエンドユーザから挿入された通帳類１を排出し、その後新通帳５３の発行処理を行い新通帳５３を排出する処理手順も当然に可能である。本実施例においては、通帳の取り忘れを防ぐのを目的とした（新規通帳を発行するには処理時間がかかるため、エンドユーザが挿入した通帳を先に返却すると新しく発行する通帳を取り忘れる可能性が大きいため）上記処理手順を一例として説明した。
【００２８】
次に帳票類２のみを取扱う場合、まず、エンドユーザにより、帳票類２が帳票挿入口４から挿入されると、判別手段５２により挿入された帳票類２が検知される。判別手段５２は帳票挿入口４にあってもよい。判別手段５２からは該判別結果信号が出力され、概信号に基づき駆動モータ４４を駆動し、搬送ローラ３４〜３９を回転駆動し、挿入された帳票類２を吸入し帳票搬送路６上を搬送され、帳票読取部１６の手前まで搬送される。
【００２９】
この時、吸入された帳票類２の下端２ｂは通帳・帳票処理装置前面６０ａ、もしくは、帳票挿入口４の中にあり帳票挿入口４からは触ることのできない位置にある。帳票読取部１６では、帳票類２を所定の速度で搬送しながら、サイズ、フォーマット、記録データが画像認識され、読取処理終了後搬送を停止する。この時、帳票類２の上端２ａはゲート手段２１と接触しない位置で止まっている。
【００３０】
認識画像に問題がない場合は、ゲート手段２１を実線位置から点線位置へ移動変位し、駆動モータ４３及び４４を駆動し、搬送ローラ２５〜３１、および、３４〜３７を回転駆動し帳票類２を帳票搬送路から主搬送路５へ搬送する。ゲート手段２１の実線位置から点線位置への移動変位は帳票挿入口４に挿入された帳票類２を検知することにより判断手段５２が出力する信号にてあらかじめ行ってもよい。
【００３１】
主搬送路５へ搬送された帳票類２は印字部１１にて所定の印字処理が行われる。印字処理後、ゲート手段２１を実線位置から点線位置へ移動変位させ、帳票類２は、駆動モータ４３及び４４の逆転駆動により搬送ローラ２７〜３１、および、３５〜３９により主搬送路５から帳票搬送路６へ搬送され、帳票読取部１６にて帳票へ印字された印字結果の文字認識が行われ、その後、帳票回収路７へ搬送され帳票回収部１５へ回収される。その後、全てのゲート手段を初期状態に戻す。
【００３２】
図２は、図１の本発明の通帳・帳票処理装置において、通帳類１、及び、帳票類２を１取引で扱う場合の処理手順例を示す。この種の装置で取り扱われる帳票類２には、振込先（口座番号）、振込金額等が記入されており、帳票読取にてこの文字の認識等が行われる（ステップ１０３）。認識された情報を元に振込方法をエンドユーザに選択させる。
【００３３】
払込方法には、現金の振込、カードを利用する口座引き落とし、通帳を利用する口座引落とし等がある（ステップ１０４）。通帳からの口座引落としが選択された場合、エンドユーザが通帳を挿入口へ挿入し、通帳への処理が行われ、通帳は排出される（ステップ１０５〜１０８）。通帳が排出された後、帳票への前記各処理が行われ帳票は回収される（ステップ１０９〜ステップ１１３）。
【００３４】
すなわち、本発明においては通帳類１、及び、帳票類２を１取引で扱う上記処理において、帳票類２の読取処理後通帳の処理を行う場合、先に挿入された帳票は主搬送路に侵入するこなく停止しているため、帳票類２の退避動作等の処理が不要である。
【００３５】
また、帳票類２への印字処理が行われた後の印字結果の読取、帳票回収の一連の処理が、一方向の搬送動作で実現でき帳票類２の搬送距離が最短にできるため処理時間を短くすることができる。この場合帳票類２の挿入後のゲート手段２１の実線位置から破線位置への移動は通帳類１の処理終了後であることはいうまでもない。
【００３６】
さらに、エンドユーザが最初に通帳を利用する口座引落としを選択する場合には、帳票類２と通帳類１を同時に吸入することができ、帳票類２の読取処理と通帳類１の磁気データ情報の読取、頁情報等の読取等通帳類１への印字処理までに必要な処理が同時に行うことがきるため、処理時間の大幅な短縮を図ることが可能である。
【００３７】
また、一般的に帳票類の搬送に最適な搬送路と通帳類の搬送に最適な搬送路は異なる。帳票類２と通帳類１の大きな違いは厚さであり、それに伴い剛性も大きく異なる。例えば、薄くて剛性の小さい帳票類２に対し搬送路の高さが高い場合、搬送中に帳票類２の先端の折れが発生し易く、その結果ジャムに至る場合もある。
【００３８】
この観点からみると、図１における本発明の通帳・帳票取扱装置においては、帳票類２と通帳類１を共通で使用する搬送路は、主搬送路５のゲート手段２１から印字部１１までの間であり、それ以外は帳票及び通帳専用の搬送路であるため、特に帳票類２の搬送については高い信頼性を実現できる。尚、図１においてゲート手段２１は搬送ローラ２６と２７に具備されているが、光学読取部１２を搬送ローラ２６と２７との間に具備し、搬送ローラ２７と２８の間にあっても何ら問題はない。
【００３９】
この種の装置においては通帳の回収も行う。用途は主に処理した通帳を何らかの要因によりエンドユーザが取らずにその場を離れてしまった場合である。通帳については、図１及び図３に示す最も普及している上下に開く通帳類１と、図３に示す左右に開く通帳類５４がある。
【００４０】
これまで通帳の回収部に関しては、通帳挿入口に接続する搬送路の上下に配置されてきたが、装置の小型化（特に奥行寸法）を図るには、機能の優先順位から考えると回収容量は小さくなるが回収部を小型化せざるをえなくなってしまう。
【００４１】
一方、上下に開く通帳類１、左右に開く通帳類５４の両タイプの通帳を取り扱う装置において、左右に開く通帳類５４の回収においては搬送方向と綴じ方向が平行であるため、搬送方向に対し通帳を湾曲させにくい特徴がある。
【００４２】
これらの問題に対し図１に示す本発明の通帳・帳票取扱装置においては、第１の通帳回収部１７及び第２の通帳回収部１８を構成しており、主搬送路５に直接接続する第１の通帳回収部１７に左右に開く通帳類５４を開いた状態で回収する。
【００４３】
ここで、ゲート手段２２は通帳類５４の回収動作に問題のない角度、すなわち、通帳類５４が湾曲できる範囲内の傾きである。上下に開く通帳類１は第２の通帳回収部１８に回収する。上下に開く通帳類１は搬送方向と綴じ部が直角方向であり、搬送方向に対し比較的湾曲し易いため通帳発行ができる搬送路であれば十分搬送することができる。
【００４４】
すなわち、第２の通帳回収部１８については、図１に示すように後部通帳搬送路８を利用し構成できるため主搬送路上に直接接続する必要がなく装置奥行寸法を大きくする必要がないことがあきらかである。
【００４５】
また、同じ形の通帳であっても金融機関等の扱う商品により総合口座通帳、普通預金通帳等の種類にわけられている。従って、上下に開く通帳類１であれば、通帳の種類により第１の通帳回収部１７と第２の通帳回収部１８へ分けて回収することも可能である。
【００４６】
通帳の形、種類の識別については、通帳の幅寸法等の情報、磁気データの情報、頁マークの情報等などから可能であることは公知である。
【００４７】
さらに、図１に示す本発明の通帳・帳票取扱装置においては、通帳発行部１９を装置後方に配置していることにより、通常取引処理中に装置を停止しなくても通帳発行部１９に通帳を補充する、いわゆるノーダウン補充も可能である。
【図面の簡単な説明】
【００４８】
【図１】本発明の通帳・帳票処理装置の構成例を示す図である。
【図２】本発明の通帳・帳票処理装置における処理手順例を示す図である。
【図３】通帳のタイプを示す図である。
【符号の説明】
【００４９】
６０・・・通帳・帳票処理装置、１・・・通帳類、２・・・帳票類、３・・・通帳挿入口、４・・・帳票挿入口、５・・・主搬送路、６・・・帳票搬送路、７・・・帳票回収搬送路、８・・・後部通帳搬送路、９・・・通帳回収搬送路、１０・・・通帳退避路、１１・・・印字部、１２・・・光学読取部、１３・・・磁気処理部、１４・・・頁替部、１５・・・帳票回収部、１６・・・帳票読取部、１７・・・通帳回収部、１８・・・第２の通帳回収部、１９・・・通帳発行部、２０・・・第１のゲート手段、２１・・・第２のゲート手段、２２・・・第３のゲート手段、２３・・・第４のゲート手段、２４・・・第５のゲート手段、２５〜４２・・・搬送ローラ、４３〜４５・・・駆動モータ
【図１】
2005301711.tif 000003
【図２】
2005301711.tif 000004
【図３】
2005301711.tif 000005